(57)【要約】【課題】溶断工程を中断することなく溶断カッターの刃面を清掃できるようにした溶断シーラを提供する。【解決手段】互いに逆向きに同期して回転駆動される高温の溶断カッター１と低温の受けカッター２が所定時間閉じ合わされた後は互いに離間するように構成し、閉じ合わされた前記一対のカッター１，２間にフィルム３を挟持させて送り移動する間に、フィルム３を送り方向に直交する方向に溶断シールするようにした溶断シーラにおいて、溶断カッター１が受けカッター２から離間したときに、溶断カッター１の刃面１ａに接触して該刃面１ａを清掃可能な清掃手段４を設けている。【選択図】  図１
2006103763.tif 000002
【特許請求の範囲】
【請求項１】
互いに逆向きに同期して回転駆動される高温の溶断カッター（１）と低温の受けカッター（２）が所定時間閉じ合わされた後は互いに離間するように構成し、閉じ合わされた前記一対のカッター（１）（２）間にフィルム（３）を挟持させて送り移動する間に、前記フィルム（３）を送り方向に直交する方向に溶断シールするようにした溶断シーラにおいて、
前記溶断カッター（１）が前記受けカッター（２）から離間したときに、前記溶断カッター（１）の刃面（１ａ）に接触して該刃面（１ａ）を清掃可能な清掃手段（４）を設けてなることを特徴とする溶断シーラ。
【請求項２】
前記清掃手段（４）が、回転体（５）にブラシ毛（６）を放射状に植設してなり、前記溶断カッター（１）の回転動作に従動して回転動作することを特徴とする請求項１に記載の溶断シーラ。
【発明の詳細な説明】
【技術分野】
【０００１】
本発明は、送り移動されるフィルムを送り方向に直交する方向に溶断シールするための溶断シーラに係り、特に、溶断工程中に溶断カッターに付着する溶けカスを除去するための清掃手段を設けた溶断シーラに関する。
【背景技術】
【０００２】
原反ローラからコンベヤ上に繰り出されたフィルムに被包装物を包装する場合、まず、縦シーラによってフィルムの両側を送り方向に沿う縦方向に溶着することで、被包装物を筒状のフィルム内に収容し、次いで、横シーラ（溶断シーラ）によって被包装物の前後両側をフィルムの送り方向に直交する方向（横方向）に同時に溶断シールするように行われる。
【０００３】
このような溶断シーラでは、例えば、図３に示すように、高温の溶断カッター５１と低温の受けカッター５２とが、互いに逆向きに同期して上下方向の動作と水平方向の動作を伴うボックス運動（矢印ＢＸ参照）をするように構成され（ボックスモーション型）、縦シーラによって被包装物５３を収容して筒状となったフィルム５４がコンベヤ５５によって矢印Ｃ方向に搬送される工程中に、溶断カッター５１と受けカッター５２が所定の時間（所定の搬送区間）閉じ合わされることで、両カッター５１，５２に挟まれたフィルム５４が横方向に溶断シールされる（例えば、特許文献１参照）。
【０００４】
【特許文献１】特開平９−１２００３号公報
【発明の開示】
【発明が解決しようとする課題】
【０００５】
上述のような溶断シーラでは、高温に加熱された溶断カッター５１の刃面にフィルム５３の溶けカスが付着しやすく、そのために、溶断性能が低下してしまうことがある。従って、常に、溶断カッター５１の刃面を清浄化するための対策が求められる。しかるに、溶断カッター５１は、上述のように、ボックス運動をしているため、刃先が常に下方に向いており、作業中に刃面の清掃を行えるように構成するのは困難である。そこで、一旦、溶断カッター５１のボックス運動を停止させれば、ブラシ等で停止している溶断カッター５１の刃面を清掃することはできる。しかし、ボックス運動を停止すれば、装置の作業能率は大幅に低下してしまう。
【０００６】
本発明は、このような実情に鑑みてなされ、溶断工程を中断することなく溶断カッターの刃面を清掃できるようにした溶断シーラを提供することを目的とする。
【課題を解決するための手段】
【０００７】
（１）本発明の溶断シーラは、互いに逆向きに同期して回転駆動される高温の溶断カッター１と低温の受けカッター２が所定時間閉じ合わされた後は互いに離間するように構成し、閉じ合わされた前記一対のカッター１，２間にフィルム３を挟持させて送り移動する間に、前記フィルム３を送り方向に直交する方向に溶断シールするようにした溶断シーラにおいて、
前記溶断カッター１が前記受けカッター２から離間したときに、前記溶断カッター１の刃面１ａに接触して該刃面１ａを清掃可能な清掃手段４を設けてなることを特徴とする。
【０００８】
このような構成によれば、高温の溶断カッター１が低温の受けカッター２と共に回転動作をするため、溶断カッター１が受けカッター２から離間したときには、溶断カッター１の刃面１ａは外方に向く。従って、その刃面１ａに接触する清掃手段４を溶断カッター１に臨設すれば、溶断シール工程中に、溶断カッター１の刃面１ａを清掃することができる。これにより、常に、溶断カッター１の刃面１ａを清浄に保つことができ、溶断性能の低下を防ぐことができる。また、溶断工程を中断することなく刃面１ａの清掃ができるため、作業能率の低下がない。
【０００９】
（２）前記清掃手段４が、回転体５にブラシ毛６を放射状に植設してなり、前記溶断カッター１の回転動作に従動して回転動作するようにしてもよい。このようにすれば、簡単な構成で、効果的な刃面１ａの清掃が可能となる。
【発明の効果】
【００１０】
本発明に係る溶断シーラは、溶断カッターが受けカッターから離間したときに、外方に向いた前記溶断カッターの刃面に接触してその刃面を清掃可能な清掃手段を設けているので、溶断工程中に刃面の清掃ができるため、溶断性能の低下を防ぐことができ、かつ、作業能率の低下がない。
【発明を実施するための最良の形態】
【００１１】
以下に、本発明の最良の実施の形態に係る溶断シーラについて図面を参照しつつ詳細に説明する。
図１は溶断シーラ（エンドシーラ）Ｅの要部構成説明図、図２は溶断シーラＥが組み込まれた自動包装ラインの構成説明図である。これらの図に示すように、この溶断シーラＥは、互いに逆向きに同期して回転駆動される高温の溶断カッター１と、低温の受けカッター２を具備し、この両カッター１，２が所定時間閉じ合わされた後は互いに離間するように構成され、その両カッター１，２が閉じ合わされた状態でフィルム３を挟持して送り移動する間に、フィルム３を送り方向（矢印Ｃ参照）に直交する方向に溶断シールする。そして、溶断カッター１が受けカッター２から離間したときに、清掃手段４が、溶断カッター１の刃面１ａに接触して該刃面１ａを清掃し、常に、良好な溶断性能を維持できるようにしている。また、その清掃作業は溶断工程中に行われるため、作業能率の低下がない。
【００１２】
より詳しく説明すると、溶断カッター１は、図１の紙面に垂直な方向に延びるように形成されてシーラベース１１に取り付けられ、シーラベース１１は、一対のガイドアタッチ１２，１２間に形成されたガイド溝１２ａ内に摺動自在に遊嵌され、かつ、図示省略の付勢手段によって放射方向（半径方向の外方向）に付勢されており、２対のガイドアタッチ１２，１２が、上シーラ軸１３Ａに固定されたガイドピース１４，１４の両端に軸対称に固定されている。従って、一対の溶断カッター１，１が、シーラ軸１３Ａの半径方向に摺動自在でその刃先を半径方向の外方に向けて同方向に付勢されている。
【００１３】
一方、受けカッター２は、溶断カッター１と同様に、図１の紙面に垂直な方向に延びるように形成されてシーラベース１１に取り付けられ、シーラベース１１は、一対のガイドアタッチ１２，１２間に形成されたガイド溝１２ａ内に摺動自在に遊嵌され、かつ、図示省略の付勢手段によって放射方向（半径方向の外方向）に付勢されており、２対のガイドアタッチ１２，１２が、下シーラ軸１３Ｂに固定されたガイドピース１４，１４の両端に軸対称に固定されている。従って、一対の受けカッター２，２が、シーラ軸１３Ｂの半径方向に摺動自在でその刃先を半径方向の外方に向けて同方向に付勢されている。
【００１４】
上シーラ軸１３Ａと下シーラ軸１３Ｂは、それぞれフレーム１６に回動自在に支持され、かつ、歯車機構によって互いに逆方向に同期して回転するように連結され、下シーラ軸１３Ｂには、伝動機構（ベルト又はチェーン等）を介して減速機付きサーボモータ（図示省略）に連結されている。このような構成により、前述したように、溶断カッター１と受けカッター２は、互いに逆向きに同期して回転駆動され、両カッター１，２は互いに対向し合う位置で当接すると、半径方向の内方に移動して所定時間閉じ合わされ、その後は半径方向の外方に移動して互いに離間するように動作する。
【００１５】
このように、両カッター１，２が所定時間閉じ合わされることで、その間に筒状に溶着されたフィルム３を送り方向に直交する方向に溶断シールすることができる。良好な溶断シール作業を行うためには、温度、圧力、時間の３つの条件が適切に設定されなければならない。上述のように、フィルム３の送り方向に沿って両カッター１，２を所定時間閉じ合わせることで、フィルム３の搬送中に必要な時間を稼ぐことができるため作業能率の低下がなく、しかも、温度を適切な領域まで下げることができ、かつ、その間に付勢手段によってフィルム３に対して所要の圧力を付与することができる。これにより、溶断不良がなくなり安定した良好な溶断シールが可能となる。
【００１６】
そして、特に、この溶断シーラＥでは、フレーム１６の上部に、受けカッター２から離間した溶断カッター１の刃面１ａに接触して該刃面１ａを清掃するための清掃手段４を取り付けている。この清掃手段４は、図１の紙面に垂直な方向に延びるように形成された回転体５に耐熱性のブラシ毛６を放射状に植設してなり、その回転体５の両側を支持部材７によって回動自在に支持させ、そのブラシ毛６の先端が、溶断カッター１の刃面１ａの回動軌跡の少し内側に入り込むような位置にて、支持部材７をフレーム１６の上部に固定している。このようにすれば、溶断カッター１の回転動作に伴い清掃手段４を従動回転動作させることができ、溶断工程中において、溶断カッター１の刃面１ａに付着する溶けカスをきれいに払い落とすことができる。これにより、常に、溶断カッター１の刃面１ａを清浄に保つことができ、溶断性能の低下を防ぐことができる。また、溶断工程を中断することなく刃面１ａの清掃ができるため、作業能率の低下がない。
【００１７】
このような溶断シーラＥは、例えば、図２に示すような自動包装機に組み込むことができる。同図にて、符号２１は供給コンベヤ、２２，２３はフィルムホルダー、２４はホーマ、２５は縦シーラ（ロングシーラ）、２６は制御盤、２７はスクラップワインダ、２８は送りコンベヤ、２９は排出コンベヤである。
【００１８】
このような構成により、何れか一方のフィルムホルダー２２（又は２３）に保持された原反ローラから繰り出されたフィルム３が、ホーマ２４を通過する過程で、供給コンベヤ２１によって矢印方向に送り移動される物品に被せられる。次いで、縦シーラ２５によって縦シールが施される。これにより、フィルム３は筒状になって物品を包み込んだ状態となる。そして、さらに、送りコンベヤ２８で下流側に移送されて溶断シーラＥにより、上述のように、溶断シールが施される。この溶断シーラＥによる溶断シールは、物品の前と後同時に行われ、これにより包装が完了し、後は、排出コンベヤ２９によって包装品が排出される。
【００１９】
なお、本発明は、実施の形態に限定されることなく、発明の要旨を逸脱しない限りにおいて、適宜、必要に応じて、改良や設計変更は自由であり、例えば、清掃手段４は、ベルトにブラシ毛を植設したものであってもよく、ブラシ毛に代えてスポンジを用いてもよく、接触式のものであれば、その構成の如何を問わない。
【図面の簡単な説明】
【００２０】
【図１】本発明の実施の形態に係る溶断シーラの要部構成説明図である。
【図２】同溶断シーラが組み込まれた自動包装ラインの構成説明図である。
【図３】ボックスモーション型の溶断シーラの動作説明図である。
【符号の説明】
【００２１】
１…溶断カッター、１ａ…刃面、２…受けカッター、３…フィルム、４…清掃手段、５…回転体、６…ブラシ毛
【図１】
2006103763.tif 000003
【図２】
2006103763.tif 000004
【図３】
2006103763.tif 000005